(57)【要約】      （修正有）【課題】正常細胞にダメージを与えない放射線治療を提供する。【解決手段】生体内の広い領域で電離を起こさない放射線の候補として電子ニュートリノを採用した。ニュートリノは弱い相互作用を行うためβ崩壊に関与すると考えられるが、その反応は極めて局所的であるため腫瘍組織内でβ崩壊反応が起きたとしても、他の組織には何ら影響を与えないと考えられる。低エネルギー下でニュートリノを発生させる方法として、３０ｋＶ程度の低エネルギー領域において、上部六角錐構造部（陽極）と下部六角錐構造シリンダー部（陰極）を用いてニュートリノを発生させる。【選択図】  図４
2004245811.tif 000002
【特許請求の範囲】
【請求項１】
高電圧ゲージ場における低エネルギーニュートリノの発生方法について。
【請求項２】
高電圧ゲージ場における低エネルギーニュートリノの発生装置の構造について。
【請求項３】
高電圧ゲージ場における発生した低エネルギーニュートリノの新規放射線源への応用について。
【発明の詳細な説明】
【０００１】
【産業上の利用分野】
本発明は、新規放射線源に関するものであり、更に詳細には、極めて安全性の高いニュートリノを放射線源に利用しようとするものである。
【０００２】
【従来の技術】
現在、腫瘍治療は放射線、開腹手術、抗がん剤、あるいはそれらを組み合わせた治療が行われているが、いずれの治療法も副作用が避けられない治療法であり、生体へのダメージを回避することができない。また、いずれの治療法も発見の困難な微少な転位腫瘍を取り除くことができず完全な治療法には成り得ていない。これらの理由から医療現場においては、放射線治療や薬物治療に変わる副作用の心配がなく、また将来の転位予防も可能となる新たな治療法が求められている。
【０００３】
【発明が解決しようとする課題】
放射線を照射するに当り、安全性及び放射線照射による副作用の面から、照射時間を短くすることは、医療現場において広く認識されているところであり、照射時間を長くしても副作用の心配のない放射線治療が医療業界において切望されている。
【０００４】
しかるに、放射線治療を実施しようとする場合、高エネルギー線の照射は生体内の広い領域での電離現象を避けることができず、必ず正常細胞にダメージを与えることになる。また、放射線治療はこの電離現象をもって腫瘍を攻撃する。したがって、生体に対する副作用を取り除くことが不可能であるためこのことが放射線治療の大きな問題となっている。
【０００５】
【課題を解決するための手段】
本発明は、上記した課題を解決するために、安全で長時間の照射でも副作用の心配のない、すなわち生体内の広い領域で電離現象の起きない新しい放射線照射装置を開発する目的でなされたものである。
【０００６】
そこで上記したように生体内の広い領域で電離を起こさない放射線の候補として電子ニュートリノに注目した。しかしニュートリノは核反応などに伴うβ崩壊に由来するものか、あるいは宇宙線に含まれるものなどに限られ、低エネルギー下でニュートリノを発生させる方法は知られていなかった。
【０００７】
しかし鋭意研究の結果、全く予期せざることに、本発明者らは、空間の極めて狭い領域に３０ｋＶ以上の高電圧が印可された場合、マクロなスケールで重力効果（物体の浮上効果：５０ｇ）が現れることを発見した。このような効果はループ量子重力理論やツイスター理論が予測するような空間を構成するスピンネットワークの存在を前提とするほうが説明しやすい。実際にスピンネットワークが存在するのであれば、スピンネットワークと陽イオンスピン間にパウリの排他原理が働きスピンが逆向き同士が引き合い、スピンの向きが等しいものが反発するため、局所的な正電荷の印可によって本来±０のスピンネットワークは正と負の２つのスピンネットワークに分極すると考えられる。分極した２つのスピンネットワークのうち正のスピンネットワークには斥力が働き反発湾曲され、負のスピンネットワークは正電荷に引き付けられるように湾曲すると考えられる。（図１）
【０００８】
しかし正負のスピンネットワークがそれぞれ湾曲されてもその作用は打ち消し合うためこのままでは重力効果は現れない。重力効果が現れるには正負のいずれかのスピンネットワークが発生と消失を繰り返す必要があるため、我々は高電圧の場が対称性を回復するゲージ場を作ると考え、負のスピンネットワークが強い正電荷の直下で対称性を回復されて局所的にニュートリノとして顕在化すると仮定した。（図２）
【０００９】
このように仮定した場合、強い正電荷に引きよせられた電子は顕在化したニュートリノとウィーク±ボソンを交換するため、ニュートリノの対称性が破れて電子に転換される。転換によって生まれた電子は電流として陽極に至ることになり、これにより負のスピンネットワーク（ニュートリノ）は電子に転換され消失する。また相互作用に関わった電子は対称性が回復されるためニュートリノに転換する。（図３−１）
【００１０】
これにより正負のスピンネットワークの湾曲による打ち消し状態が解消され、湾曲された正のスピンネットワークだけが残るため［０００７］で観察された重力効果は空間の復元圧力が解放された結果と説明できる。またそれと同時にニュートリノの放出が説明される。（図３−２）このような一連の反応は電圧を印可している間、高速に繰り返されるため、連続的にニュートリノを放出することが可能になると考えられる。しかしニュートリノは電荷が中性であるため電気的な観測には一切かからない。そこで、実際にニュートリノが放出されているならば癌細胞に何らかの影響を与える可能性がある、との仮定のもと実験を行った結果、効果的にサルコーマ１８０の増殖を抑制し、またその死細胞率を上昇させることを見い出し、本発明を完成するに至った。
【００１１】
【発明の原理】
すなわち本発明は、高電圧ゲージ場における低エネルギーニュートリノの発生方法と発生装置の構造に関するものである。※低エネルギーと表記する理由はそれが核反応よりも遥かに低いエネルギー領域で起る現象であるため。
【００１２】
【装置の構造】
［０００７］で重力効果を発生した構造物を（図４）に示す。電源は１２０ｋＶ（１２万ボルト）まで発生できるコッククロフト・ウォルトン回路型のものを作成し、（図４）に示した構造物は重さ５０ｇで上部六角錐構造部（陽極）及び下部六角錐構造シリンダー部（陰極）ともにアルミ箔で骨組みをバルサ材で作成した。
【００１３】
（図４）に示した構造物の陽極に３０ｋＶ以上の高電圧を印可した場合、陽極と陰極が非接触状態であるため、コンデンサのように働き上部六角錐構造部（陽極）直下に点状（極めて狭い領域）の強い正電荷領域が形成される。印可電圧が充分に高ければ、正負の電極間の距離が最も近い部分で局所的な絶縁崩壊が起き、陽イオンが陰極に大量に流れ込むため、陰極から電子がたたき出され、それが点状の強い正電荷領域へ誘導される。（図５）強い正電荷領域直下では負のスピンネットワークがニュートリノとして顕在化しているため、流れ込んだ電子はニュートリノと弱い相互作用をしてニュートリノは電子に、電子はニュートリノに変換・放出される。また、本構造物は六角錐構造をとっているが、円形あるいは四角形や三角形であっても陽極と陰極が非接触であり正電荷をためることができるコンデンサ状の構造であれば、同様にニュートリノを発生させることができるものと考えられる。
【００１４】
【実施例】
本発明の構造物及び原理を用いて発生したニュートリノを医療分野に応用しようとする場合、ニュートリノはその質量が極めて小さいため生体組織とほとんど相互作用せず透過してしまうと考えられるが、狭い領域を大量のニュートリノが通過すると仮定した場合、一部のニュートリノは生体組織と相互作用する可能性があるのではないかと考え、この仮説を確認するために以下の実験を行った。
１）材料と方法
試験細胞
細  胞  ：サルコーマ１８０細胞
前培養  ：ＲＰＭＩ１６４０（１０％ＦＢＳ＋  １％Ａｎｔｉｂｉｏｔｉｃｓ）の培地でに懸濁し浮遊性細胞用フラスコで培養した（３７℃、５％ＣＯ２）。
２）試料の調製
試験機：本発明による六角錐構造物及び高圧電源（コッククロフト・ウォルトン回路型）
印可電圧：３０ｋＶ
試験方法：サルコーマ１８０の培養は、直径約３ｃｍの培養シャーレで行なう。試験開始初日に１Ｘ１０の４乗ｃｅｌｌｓ／ｍｌの細胞を２．０ｍｌシャーレに植える。サンプルの設置は、装置の照射部の真下に５ｍｍ厚ガラス板を置き、シャーレをその下１０ｃｍ（図６）のところに設置した。また、試験はインキュベーター内で行なった。初日に２時間照射を行ない２日後、細胞の増殖を測定した。対照は、照射を一切行なわなかった群を設けた。抗腫瘍細胞作用を示すか、対照の細胞との増殖の割合を比較し検討した。また、トリパンブルー染色により、生細胞と死細胞の細胞数についても測定した。
【００１５】
【実施例の結果】
（図７参照）
【００１６】
【応用の範囲】
以上、実施例の実験結果から本発明の装置によってサルコーマ１８０細胞の増殖が抑制され、死細胞率を増加させることが確認された。これはニュートリノによって細胞内の局所で弱い相互作用によるβ崩壊が起きた結果によるものと考えられる。また、サルコーマ１８０はガラス板によって発散する電子やイオン風を遮蔽した上で、その直下１０ｃｍに充分な距離をとって設置されたものであり、またシャーレ自体もガラス製であるため絶縁されている。よってこれらの遮蔽物を透過する粒子（ニュートリノ）以外は細胞に対して作用を及ぼすことはできないと考えられることから、本実験による効果はニュートリノによるものと考えられる。この結果から、ニュートリノを癌治療に応用すれば、放射線や粒子線のように細胞内で高エネルギーの解放による電離などが起きず、正常細胞にダメージを与えることのない（副作用のまったくない）新規のガン治療が可能となる。また、転位ガン及び散在する微小なガンであっても広範囲に何度でも照射でき、耐性の問題も起きず低コストで簡便なガン治療が可能となる。ニュートリノは一般的にその質量が著しく小さいためほとんど物質と相互作用せず透過してしまうと考えられているが、これらの実験結果から実際にはかなりの量のニュートリノが生体によって捕獲されている可能性があると考えられ、ニュートリノは医療分野において既存の放射線に変わる副作用のない新しい放射線源として利用できるものと考えられる。
【図面の簡単な説明】
【図１】電圧のかかっていない時と電圧のかかっている時のスピンネットワーク（空間）の模式図である。
【図２】ゲージ場における対称性の回復点を説明するための模式図である。
【図３】図３−１は対称性の回復点で起るニュートリノ・電子間の弱い相互作用を説明するための模式図である。図３−２はニュートリノの対称性が破れる結果、重力場が現れることを説明する模式図である。
【図４】本発明の構造物の材質と大きさを示した簡便な図面である。
【図５】本発明の構造物における電荷の運動方向および分布を簡便に示した模式図である。
【図６】サルコーマに対するニュートリノ照射実験の際の細胞の配置および実験環境を図示したものである。
【図７】本実施例の実験結果の表及びグラフである。
【図１】
2004245811.tif 000003
【図２】
2004245811.tif 000004
【図３】
2004245811.tif 000005
【図４】
2004245811.tif 000006
【図５】
2004245811.tif 000007
【図６】
2004245811.tif 000008
【図７】
2004245811.tif 000009